(57)【要約】      （修正有）【課題】複数の自動販売機をセットできる自動販売機アセンブリを提供する。【解決手段】自動販売機アセンブリは、第一自動販売機１０と、第二自動販売機２０と、固定装置３０と、を備え、固定装置３０は第一自動販売機１０上に固定され、第二自動販売機２０は固定装置３０上に固定される。また固定装置３０には自動販売機を制御する制御設備を収容する収容空間３６が設けられる。また第一自動販売機１０を支持し、商品を収納する収納部品４０を備える。【選択図】図１
2015011721.tif 000002
【特許請求の範囲】
【請求項１】
第一自動販売機と、
第二自動販売機と、
固定装置と、
を備えてなる自動販売機アセンブリであって、
前記固定装置は前記第一自動販売機上に固定され、前記第二自動販売機は前記固定装置上に固定されることを特徴とする自動販売機アセンブリ。
【請求項２】
前記固定装置の底面には、第一ラッチ部が設置され、前記第一自動販売機には第一固定孔が設けられ、前記第一固定孔は前記第一自動販売機の上面に設けられる第一ガイド溝と、前記第一ガイド溝の一側に設けられる第一収容溝と、を備え、前記第一ラッチ部は前記第一ガイド溝に挿入された後、前記第一収容溝に係合される第一挿入板を備えることを特徴とする請求項１に記載の自動販売機アセンブリ。
【請求項３】
前記固定装置には、第二固定孔が設けられ、前記第二固定孔は前記固定装置の上面に設けられる第二ガイド溝と、前記第二ガイド溝の一側に設けられる第二収容溝と、を備え、前記第二自動販売機の底面には第二ラッチ部が設置され、前記第二ラッチ部は、前記第二ガイド溝に挿入された後、前記第二収容溝に係合される第二挿入板を備えることを特徴とする請求項１または２に記載の自動販売機アセンブリ。
【請求項４】
前記固定装置には、自動販売機を制御する制御設備を収容する収容空間が設けられることを特徴とする請求項１から３の何れか一項に記載の自動販売機アセンブリ。
【請求項５】
係合部を更に備え、前記係合部は前記第一自動販売機に固定される第一板体と、前記固定装置に固定される第二板体と、を備えることを特徴とする請求項１から４の何れか一項に記載の自動販売機アセンブリ。
【請求項６】
前記第一自動販売機を支持し、商品を収納する収納部品を備えることを特徴とする請求項１から５の何れか一項に記載の自動販売機アセンブリ。
【発明の詳細な説明】
【技術分野】
【０００１】
本発明は、自動販売機アセンブリに関するものである。
【背景技術】
【０００２】
従来の技術において、自動販売機は、地震などが起こった場合、倒れて損傷する可能性がある。また、一つの自動販売機が収納できる商品数には限りがあり、頻繁に商品を補充する必要がある。
【発明の概要】
【発明が解決しようとする課題】
【０００３】
本発明の目的は、前記問題を解決し、複数の自動販売機をセットできる自動販売機アセンブリを提供することである。
【課題を解決するための手段】
【０００４】
上記目的を達成するために、本発明に係る自動販売機アセンブリは、第一自動販売機と、第二自動販売機と、固定装置と、を備え、前記固定装置は前記第一自動販売機上に固定され、前記第二自動販売機は前記固定装置上に固定される。
【発明の効果】
【０００５】
本発明に係る自動販売機アセンブリは、複数の自動販売機を一体に組み立てることができるので、収納できる商品数が多くなるとともに、自動販売機を大きく且つ強固にすることができる。
【図面の簡単な説明】
【０００６】
【図１】本発明の実施形態に係る自動販売機アセンブリの分解斜視図である。
【図２】図１に示す自動販売機アセンブリの別の視角からの分解斜視図である。
【図３】図１に示す自動販売機アセンブリのＩＩＩ部の拡大図である。
【図４】図２に示す自動販売機アセンブリのＩＶ部の拡大図である。
【図５】図１に示す自動販売機アセンブリのＶ部の拡大図である。
【図６】図２に示す自動販売機アセンブリのＶＩ部の拡大図である。
【図７】図１に示す自動販売機アセンブリの係合部の拡大図である。
【図８】図１に示す自動販売機アセンブリの組立斜視図である。
【発明を実施するための形態】
【０００７】
図１及び図２に示したように、本発明の実施形態に係る自動販売機アセンブリは、二つの第一自動販売機１０と、二つの第二自動販売機２０と、一つの固定装置３０と、一つの収納部品４０と、を備える。
【０００８】
各第一自動販売機１０及び各第二自動販売機２０は、独立して商品を収納して販売できる。
【０００９】
図３に示したように、各第一自動販売機１０の上面には、第一固定孔１２が設けられている。第一固定孔１２は、第一自動販売機１０の上面に設けられる第一ガイド溝１２２と、第一ガイド溝１２２の一つの側壁に設けられた第一収容溝１２４と、を備える。
【００１０】
図４に示したように、固定装置３０の底面には２つの第一ラッチ部３２が設置されている。各第一ラッチ部３２は、固定装置３０の底面に固定される第一固定板３２２と、第一固定板３２２に平行に位置する第一挿入板３２４と、を備える。
【００１１】
図５に示したように、固定装置３０の上面には第一固定孔１２と同じ構造を有する２つの第二固定孔３４が設けられている。各第二固定孔３４は、固定装置３０の上面に設けられた第二ガイド溝３４２と、第二ガイド溝３４２の一つの側壁に設けられた第二収容溝３４４と、を備える。
【００１２】
図６に示したように、各第二自動販売機２０の底面には第一ラッチ部３２と同じ構造を有する第二ラッチ部２２が設置されている。第二ラッチ部２２は、第二自動販売機２０の底面に固定された第二固定板２２２と、第二固定板２２２に平行に位置する第二挿入板２２４と、を備える。
【００１３】
各第二自動販売機２０の上面には、第一固定孔１２と同じ構造を有する第三固定孔２４が設けられているため、もう一つの固定装置３０又はもう一つの第二自動販売機２０を装着できる。故に、より多くの自動販売機を装着することができる。
【００１４】
固定装置３０内には、制御設備(図示せず)を収容できる収容空間３６が設けられており、固定装置３０の上面及び底面には、２つの開口３８がそれぞれ設けられている。制御設備に接続されるケーブルは、開口３８を挿通して第一自動販売機１０及び第二自動販売機２０にそれぞれ接続される。これによって、制御設備は、自動販売機に対して様々な操作、例えば、自動販売機を開ける、商品を送出する、商品の数量を確認すること等ができる。
【００１５】
収納部品４０は、自動販売機アセンブリの底部に位置し、商品や自動販売機の部品、補修機械等を収納することができる。
【００１６】
図７に示したように、自動販売機アセンブリは、更に、２つの係合部５０を備える。係合部５０は、第一板体５２と、第一板体５２に平行に位置する第二板体５４と、を備える。
【００１７】
図８に示したように、自動販売機アセンブリを組み立てる際、第一自動販売機１０を収納部品４０の上面に設置する。続いて、固定装置３０の第一ラッチ部３２の第一挿入板３２４は、第一固定孔１２の第一ガイド溝１２２内にそれぞれ挿入された後、対応する第一収容溝１２４内にそれぞれ係合され、固定装置３０を第一自動販売機１０の上面に固定する。この際、ネジを介して係合部５０の第一板体５２を第一自動販売機１０の上面にそれぞれ固定し、さらに別のネジを介して第二板体５４を固定装置３０の底面に固定する。これによって、第一自動販売機１０を固定装置３０の底部に固定する。
【００１８】
次いで、第二自動販売機２０の第二挿入板２２４を固定装置３０の第二固定孔３４の第二ガイド溝３４２内にそれぞれ挿入させた後、対応する第二収容溝３４４内にそれぞれ係合し、第二自動販売機２０を固定装置３０の上面に固定する。
【００１９】
他の実施形態において、第二自動販売機２０の上面にさらに多くの第二自動販売機２０を直接的に装着し、又は第二自動販売機２０の上面に固定装置３０を装着して、より多くの第二自動販売機２０を固定装置３０に装着することで、自動販売機を増加させることによって、自動販売機アセンブリを大きくすることができる。
【符号の説明】
【００２０】
１０  第一自動販売機
１２  第一固定孔
１２２  第一ガイド溝
１２４  第一収容溝
２０  第二自動販売機
２２  第二ラッチ部
２２２  第二固定板
２２４  第二挿入板
２４  第三固定孔
３０  固定装置
３２  第一ラッチ部
３２２  第一固定板
３２４  第一挿入板
３４  第二固定孔
３４２  第二ガイド溝
３４４  第二収容溝
３６  収容空間
３８  開口
４０  収納部品
５０  係合部
５２  第一板体
５４  第二板体
【図１】
2015011721.tif 000003
【図２】
2015011721.tif 000004
【図３】
2015011721.tif 000005
【図４】
2015011721.tif 000006
【図５】
2015011721.tif 000007
【図６】
2015011721.tif 000008
【図７】
2015011721.tif 000009
【図８】
2015011721.tif 000010